【手続補正書】
【提出日】平成25年9月5日(2013.9.5)
【手続補正１】
【補正対象書類名】特許請求の範囲
【補正対象項目名】全文
【補正方法】変更
【補正の内容】
【特許請求の範囲】
【請求項１】
空間的に分割されたｐ個（ｐは２以上の整数）の視点映像を、時間的に分割されたｑ個（ｑは２以上ｐ以下の整数）の表示パターンを順次表示することによって１画面内に合成する２次元表示部と、
前記２次元表示部に表示された前記ｑ個の表示パターンの各々を構成するｐ個の視点映像を、ｐ個の視点での立体視が可能となるように光学的に分離する光学分離素子と
を備え、
前記２次元表示部は、カラー映像表示に必要なｒ種（ｒは３以上の整数）の色をそれぞれ表示する複数のサブ画素からなる単位画素を複数有し、画面水平方向の同一列上および画面水平方向以外の第１の方向の同一列上に異色の前記サブ画素がそれぞれ配列され、かつ、画面水平方向および前記第１の方向の双方と異なる第２の方向の同一列上に同色の前記サブ画素が配列されたものであり、
前記ｑ個の表示パターンは、それぞれ、前記第１の方向に並ぶ複数の前記サブ画素からなる連続した２つのサブ画素列が画面水平方向において（ｐ×２）列の周期で複数表示されたものであり、
一の前記単位画素は、画面水平方向に延在する連続した２以上（ｒ−１）以下の列から選択されるｒ種の前記サブ画素によって構成され、
１画面内に合成された前記ｑ個の表示パターンは、相対的に画面水平方向へ平行移動したときに相互に対応する単位画素同士が重なり合うこととなる位置に設けられている
立体表示装置。
【請求項２】
前記単位画素はＲ（赤），Ｇ（緑），Ｂ（青）の３色の前記サブ画素からなり、そのうち、２色の前記サブ画素が画面水平方向の同一列に存在すると共に残りの１色の前記サブ画素が前記２色のサブ画素の存在する列と隣接する列に存在する
請求項１記載の立体表示装置。
【請求項３】
前記サブ画素の色は３種類（ｒ＝３）であり、
前記視点映像の数は前記表示パターンの数の２倍であり、かつ、２以上６以下の整数である
請求項１記載の立体表示装置。
【請求項４】
前記光学分離素子は、前記２次元表示部からの光または前記２次元表示部へ向かう光を透過する複数の光透過部と、前記２次元表示部からの光または前記２次元表示部へ向かう光を遮蔽する複数の遮光部とを有し、それら複数の光透過部および複数の遮光部の配置状態が前記ｑ個の表示パターンに対応して切り替え可能に構成された可変式パララックスバリアである
請求項１から請求項３のいずれか１項に記載の立体表示装置。
【請求項５】
前記可変式パララックスバリアにおける複数の光透過部は、前記連続した２つのサブ画素列に対応して斜め方向へ延在するステップ形状もしくはストライプ形状を有している
請求項４記載の立体表示装置。
【請求項６】
前記ｑ個の表示パターンが表示される時間的間隔は１／６０（秒）以下である
請求項１から請求項５のいずれか１項に記載の立体表示装置。
【請求項７】
前記第１の方向は画面斜め方向であり、前記第２の方向は画面垂直方向である
請求項１から請求項６のいずれか１項に記載の立体表示装置。
【請求項８】
前記第１の方向は画面垂直方向であると共に前記第２の方向は画面斜め方向である
請求項１から請求項６のいずれか１項に記載の立体表示装置。
【請求項９】
ｐ個（ｐは２以上の整数）の視点映像を表示する２次元表示部と、
前記２次元表示部に表示された前記ｐ個の視点映像を、ｐ個の視点での立体視が可能となるように光学的に分離する光学分離素子と
を備え、
前記２次元表示部は、カラー映像表示に必要なｒ種（ｒは３以上の整数）の色をそれぞれ表示する複数のサブ画素からなる単位画素を複数有し、画面水平方向の同一列上および画面水平方向以外の第１の方向の同一列上に異色の前記サブ画素がそれぞれ配列され、かつ、画面水平方向および前記第１の方向の双方と異なる第２の方向の同一列上に同色の前記サブ画素が配列されたものであり、
前記ｐ個の視点映像は、それぞれ、前記第１の方向に並ぶ複数の前記サブ画素からなる連続した２つのサブ画素列が画面水平方向において（ｐ×２）列の周期で複数表示されたものであり、
一の前記単位画素は、画面水平方向に延在する連続した２以上（ｒ−１）以下の列から選択されるｒ種の前記サブ画素によって構成される
立体表示装置。
【請求項１０】
前記光学分離素子は、前記２次元表示部からの光または前記２次元表示部へ向かう光を透過する複数の光透過部と前記２次元表示部からの光または前記２次元表示部へ向かう光を遮蔽する複数の遮光部とを有するパララックスバリアである
請求項９記載の立体表示装置。
【請求項１１】
空間的に分割されたｐ個（ｐは２以上の整数）の視点映像を、時間的に分割されたｑ個（ｑは２以上ｐ以下の整数）の表示パターンで順次表示する表示部と、
前記ｐ個の視点映像を光学的に分離する光学分離素子と
を備え、
前記表示部は、画面水平方向に延在する連続した２以上（ｒ−１）以下（ｒは３以上の整数）の列から選択されるｒ種のサブ画素からなる単位画素を複数有し、
前記ｑ個の表示パターンは、相対的に画面水平方向へ平行移動したときに相互に対応する単位画素同士が重なり合うこととなる位置に設けられている
立体表示装置。
【請求項１２】
空間的に分割されたｐ個（ｐは２以上の整数）の視点映像を表示する表示部と、
前記ｐ個の視点映像を光学的に分離する光学分離素子と
を備え、
前記表示部は、画面水平方向に延在する連続した２以上（ｒ−１）以下（ｒは３以上の整数）の列から選択されるｒ種のサブ画素からなる単位画素を複数有し、
前記ｐ個の視点映像は、相対的に画面水平方向へ平行移動したときに相互に対応する単位画素同士が重なり合うこととなる位置に設けられている
立体表示装置。
【請求項１３】
空間的に分割されたｐ個（ｐは２以上の整数）の視点映像を、時間的に分割されたｑ個（ｑは２以上ｐ以下の整数）の表示パターンを順次表示することによって２次元表示部の１画面内に合成するステップと、
光学分離素子を用い、前記２次元表示部に表示された前記ｑ個の表示パターンの各々を構成するｐ個の視点映像を、ｐ個の視点での立体視が可能となるように光学的に分離するステップと
を含み、
前記２次元表示部として、カラー映像表示に必要なｒ種（ｒは３以上の整数）の色をそれぞれ表示する複数のサブ画素からなる単位画素を複数有し、画面水平方向の同一列上および画面水平方向以外の第１の方向の同一列上に異色の前記サブ画素がそれぞれ配列され、かつ、画面水平方向および前記第１の方向の双方と異なる第２の方向の同一列上に同色の前記サブ画素が配列されたものを用い、
前記ｑ個の表示パターンを、それぞれ、前記第１の方向に並ぶ複数の前記サブ画素からなる連続した２つのサブ画素列が画面水平方向において（ｐ×２）列の周期で複数表示されたものとし、
一の前記単位画素を、画面水平方向に延在する連続した２以上（ｒ−１）以下の列から選択されるｒ種の前記サブ画素によって構成し、
前記ｑ個の表示パターンを、相対的に画面水平方向へ平行移動したときに相互に対応する単位画素同士が重なり合うこととなる位置に設ける
立体表示方法。
【請求項１４】
前記光学分離素子として、前記２次元表示部からの光または前記２次元表示部へ向かう光を透過する複数の光透過部と、前記２次元表示部からの光または前記２次元表示部へ向かう光を遮蔽する複数の遮光部とを有し、それら複数の光透過部および複数の遮光部の配置状態が前記ｑ個の表示パターンに対応して切り替え可能に構成された可変式パララックスバリアを用いる
請求項１３記載の立体表示方法。
【請求項１５】
ｐ個（ｐは２以上の整数）の視点映像を２次元表示部に表示するステップと、
光学分離素子を用い、前記２次元表示部に表示された前記ｐ個の視点映像を、ｐ個の視点での立体視が可能となるように光学的に分離するステップと
を含み、
前記２次元表示部として、カラー映像表示に必要なｒ種（ｒは３以上の整数）の色をそれぞれ表示する複数のサブ画素からなる単位画素を複数有し、画面水平方向の同一列上および画面水平方向以外の第１の方向の同一列上に異色の前記サブ画素がそれぞれ配列され、かつ、画面水平方向および前記第１の方向の双方と異なる第２の方向の同一列上に同色の前記サブ画素が配列されたものを用い、
前記ｐ個の視点映像を、それぞれ、前記第１の方向に並ぶ複数の前記サブ画素からなる連続した２つのサブ画素列が画面水平方向において（ｐ×２）列の周期で複数表示されたものとし、
一の前記単位画素を、画面水平方向に延在する連続した２以上（ｒ−１）以下の列から選択されるｒ種の前記サブ画素によって構成する
立体表示方法。
【請求項１６】
前記光学分離素子として、前記２次元表示部からの光または前記２次元表示部へ向かう光を透過する複数の光透過部と前記２次元表示部からの光または前記２次元表示部へ向かう光を遮蔽する複数の遮光部とを有するパララックスバリアを用いる
請求項１５記載の立体表示方法。